(57)【要約】【課題】複数の表示装置に対してＩＤを任意の順で簡単に割り当てすることができるマルチ映像システムを提供する。【解決手段】マルチ映像システムにおいて、第１表示装置は、自機が起動されてから所定の時間が経過すると他の表示装置を検出するためのコマンドを送信するコマンド送信部と、第２表示装置から、経過時間応答を受信する経過時間応答受信部と、前記経過時間応答に含まれる経過時間に応じて識別子を割り当てる識別子割り当て部と、前記割り当てた識別子を各表示装置に送信する識別子送信部と、を有し、前記第２表示装置は、自機が起動されると、当該起動から前記コマンドを受信するまでの経過時間をカウントするカウント部と、経過時間応答を前記第１表示装置に送信する経過時間応答送信部と、前記識別子送信部から送信される識別子を受信する識別子受信部を有する。【選択図】図１
2017161746.tif 000002
【特許請求の範囲】
【請求項１】
複数の表示装置が接続されるマルチ映像システムであって、
前記複数の表示装置のうち第１表示装置は、
自機が起動されてから所定の時間が経過すると他の表示装置を検出するためのコマンドを送信するコマンド送信部と、
前記複数の表示装置のうち第１表示装置以外である第２表示装置から、当該第２表示装置が起動されてからの経過時間と当該第２表示装置の個体情報を含む経過時間応答を受信する経過時間応答受信部と、
前記経過時間応答に含まれる経過時間に応じて識別子を割り当てる識別子割り当て部と、
前記割り当てた識別子を各表示装置に送信する識別子送信部と、を有し、
前記第２表示装置は、
自機が起動されると、当該起動から前記コマンドを受信するまでの経過時間をカウントするカウント部と、
前記経過時間と自機の個体情報とを含む経過時間応答を前記第１表示装置に送信する経過時間応答送信部と、
前記識別子送信部から送信される識別子を受信する識別子受信部を有する
マルチ映像システム。
【請求項２】
前記識別子割り当て部は、前記経過時間の長さの順に従って識別子を割り当てる
請求項１記載のマルチ映像システム。
【請求項３】
前記識別子割り当て部は、前記経過時間の長さが長い表示装置から順に識別子を割り当てる
請求項１または請求項２記載のマルチ映像システム。
【請求項４】
前記識別子割り当て部は、前記経過時間応答に含まれる経過時間が前記所定の時間よりも短い経過時間応答の個体情報に対応する表示装置に対して識別子を割り当てる
請求項１から請求項３のうちいずれか１項に記載にマルチ映像システム。
【請求項５】
前記起動は、自機の表示装置の電源投入によって行われる
請求項１から請求項３のうちいずれか１項に記載のマルチ映像システム。
【請求項６】
複数の表示装置が接続されるマルチ映像システムにおける前記複数の表示装置のうちマスターとなる表示装置であって、
前記表示装置は、
自機が起動されてから所定の時間が経過すると他の表示装置を検出するためのコマンドを送信するコマンド送信部と、
前記複数の表示装置のうち自機以外であるスレーブとなる表示装置から、当該スレーブとなる表示装置が起動されてからの経過時間と当該第２表示装置の個体情報を含む経過時間応答を受信する経過時間応答受信部と、
前記経過時間応答に含まれる経過時間に応じて識別子を割り当てる識別子割り当て部と、
前記割り当てた識別子を各表示装置に送信する識別子送信部
を有する表示装置。
【請求項７】
複数の表示装置が接続されるマルチ映像システムにおける前記複数の表示装置のうちスレーブとなる表示装置であって、
前記示装置は、
自機が起動されると、当該起動から、前記複数の表示装置のうちマスターとなる表示装置から送信されるコマンドを受信するまでの経過時間をカウントするカウント部と、
前記経過時間と自機の個体情報とを含む経過時間応答を前記マスターとなる表示装置に送信する経過時間応答送信部と、
前記マスターとなる表示装置から送信される識別子を受信する識別子受信部を有する
表示装置。
【請求項８】
複数の表示装置が接続されるマルチ映像システムにおける識別子設定方法であって、
前記複数の表示装置のうち第１表示装置は、
コマンド送信部が、自機が起動されてから所定の時間が経過すると他の表示装置を検出するためのコマンドを送信し、
経過時間応答受信部が、前記複数の表示装置のうち第１表示装置以外である第２表示装置から、当該第２表示装置が起動されてからの経過時間と当該第２表示装置の個体情報を含む経過時間応答を受信し、
識別子割り当て部が、前記経過時間応答に含まれる経過時間に応じて識別子を割り当てし、
識別子送信部が、前記割り当てた識別子を各表示装置に送信し、
前記第２表示装置は、
カウント部が、自機が起動されると、当該起動から前記コマンドを受信するまでの経過時間をカウントし、
経過時間応答送信部が、前記経過時間と自機の個体情報とを含む経過時間応答を前記第１表示装置に送信し、
識別子受信部が、前記識別子送信部から送信される識別子を受信する
識別子設定方法。
【発明の詳細な説明】
【技術分野】
【０００１】
本発明は、マルチ映像システム、表示装置、識別子設定方法に関する。
【背景技術】
【０００２】
複数台の表示装置を行方向及び列方向に配列してマルチ映像システムを構成する技術がある。マルチ映像システムは、例えば、１つの映像信号を複数の表示装置の画面全体で表示することができる。このようなマルチ映像システムでは、表示装置のそれぞれを識別して表示制御を行うために、各表示装置に対してＩＤ（識別子）の設定を行うマルチ映像システムがある（例えば、特許文献１）。この特許文献１では、デイジーチェーン接続される複数の表示装置に対してＩＤを割り当てすることができる。
【先行技術文献】
【特許文献】
【０００３】
【特許文献１】国際公開第２０１４/０６４８２４号
【発明の概要】
【発明が解決しようとする課題】
【０００４】
しかしながら、上述のマルチ映像システムでは、各表示装置に対してＩＤを設定する手間がかかる。また、表示装置のそれぞれ割り当てるＩＤは、所定の順番になるように設定したいという要望もある。また、デイジーチェーン接続の順に応じて自動で設定する方法は、複数の表示装置をスター型で接続するマルチ映像システムには、そのまま適用することができない。
【０００５】
本発明は、このような事情に鑑みてなされたもので、その目的は、複数の表示装置で１つの映像信号を表示する場合において複数の表示装置に対してＩＤを任意の順で簡単に割り当てすることができるマルチ映像システム、表示装置、識別子設定方法を提供することにある。
【課題を解決するための手段】
【０００６】
上述した課題を解決するために、本発明は、複数の表示装置が接続されるマルチ映像システムであって、前記複数の表示装置のうち第１表示装置は、自機が起動されてから所定の時間が経過すると他の表示装置を検出するためのコマンドを送信するコマンド送信部と、前記複数の表示装置のうち第１表示装置以外である第２表示装置から、当該第２表示装置が起動されてからの経過時間と当該第２表示装置の個体情報を含む経過時間応答を受信する経過時間応答受信部と、前記経過時間応答に含まれる経過時間に応じて識別子を割り当てる識別子割り当て部と、前記割り当てた識別子を各表示装置に送信する識別子送信部と、を有し、前記第２表示装置は、自機が起動されると、当該起動から前記コマンドを受信するまでの経過時間をカウントするカウント部と、前記経過時間と自機の個体情報とを含む経過時間応答を前記第１表示装置に送信する経過時間応答送信部と、前記識別子送信部から送信される識別子を受信する識別子受信部を有する。
【０００７】
また、本発明は、複数の表示装置が接続されるマルチ映像システムにおける前記複数の表示装置のうちマスターとなる表示装置であって、前記表示装置は、自機が起動されてから所定の時間が経過すると他の表示装置を検出するためのコマンドを送信するコマンド送信部と、前記複数の表示装置のうち自機以外であるスレーブとなる表示装置から、当該スレーブとなる表示装置が起動されてからの経過時間と当該第２表示装置の個体情報を含む経過時間応答を受信する経過時間応答受信部と、前記経過時間応答に含まれる経過時間に応じて識別子を割り当てる識別子割り当て部と、前記割り当てた識別子を各表示装置に送信する識別子送信部を有する。
【０００８】
また、本発明は、複数の表示装置が接続されるマルチ映像システムにおける前記複数の表示装置のうちスレーブとなる表示装置であって、前記示装置は、自機が起動されると、当該起動から、前記複数の表示装置のうちマスターとなる表示装置から送信されるコマンドを受信するまでの経過時間をカウントするカウント部と、前記経過時間と自機の個体情報とを含む経過時間応答を前記マスターとなる表示装置に送信する経過時間応答送信部と、前記マスターとなる表示装置から送信される識別子を受信する識別子受信部を有する。
【０００９】
また、本発明は、複数の表示装置が接続されるマルチ映像システムにおける識別子設定方法であって、前記複数の表示装置のうち第１表示装置は、コマンド送信部が、自機が起動されてから所定の時間が経過すると他の表示装置を検出するためのコマンドを送信し、経過時間応答受信部が、前記複数の表示装置のうち第１表示装置以外である第２表示装置から、当該第２表示装置が起動されてからの経過時間と当該第２表示装置の個体情報を含む経過時間応答を受信し、識別子割り当て部が、前記経過時間応答に含まれる経過時間に応じて識別子を割り当てし、識別子送信部が、前記割り当てた識別子を各表示装置に送信し、前記第２表示装置は、カウント部が、自機が起動されると、当該起動から前記コマンドを受信するまでの経過時間をカウントし、経過時間応答送信部が、前記経過時間と自機の個体情報とを含む経過時間応答を前記第１表示装置に送信し、識別子受信部が、前記識別子送信部から送信される識別子を受信する識別子設定方法である。
【発明の効果】
【００１０】
以上説明したように、この発明によれば、マルチ映像システムにおける複数の表示装置に対して個別の識別子が電源投入順に割り当てられるため、ユーザの希望する順番に手間をかけることなく容易に識別子を設定することができる。
【図面の簡単な説明】
【００１１】
【図１】マルチ映像システム１Ａの概略機能ブロック図である。
【図２】第２の実施形態におけるマルチ映像システム１Ｂの構成を示す概略構成図である。
【図３】第２実施形態におけるマルチ映像システム１Ｂの機能について説明する概略機能ブロック図である。
【図４】マルチ映像システム１Ｂの動作を示すシーケンス図である。
【図５】表示装置１０Ｂが行うマスター側の動作を説明するフローチャート図である。
【図６】表示装置２０Ｂが行うスレーブ側の動作を説明するフローチャート図である。
【図７】表示装置１０Ｂが作成した、各表示装置の起動経過時間を含めた、ＩＤ設定対象ＰＤリストである。
【図８】マルチ映像システム１Ｂの初期状態図である。
【図９】マルチ映像システムの各表示機の電源投入順を表す図である。
【図１０】表示装置１０Ｂから送信されるＡＵＴＯ＿ＩＤ実行指示コマンドの経路を示す図である。
【図１１】表示装置２０Ｂ、表示装置２１Ｂ、表示装置２２ＢからのＡｃｋ応答が、表示装置１０Ｂに到達する経路を示す図である。
【図１２】表示装置１０ＢがＩＤ設定対象ＰＤリストを作成したイメージ図である。
【図１３】表示装置１０Ｂがマスター側表示装置として、スレーブ側表示装置である表示装置２０Ｂ、表示装置２１Ｂ、表示装置２２ＢへＩＤ設定指示を送信した状態を示す図である。
【発明を実施するための形態】
【００１２】
以下、本発明の一実施形態によるマルチ映像システムについて図面を参照して説明する。図１は、この発明の一実施形態によるマルチ映像システムの構成を示す概略機能ブロック図である。
この図において、マルチ映像システム１Ａは、表示装置１０Ａと複数の表示装置２０Ａとが接続される。以下、表示装置をＰＤとも称する。
表示装置１０Ａにおいて、コマンド送信部１００Ａは、自機が起動されてから所定の時間が経過すると各表示装置２０Ａを検出するためのコマンドを送信する。経過時間応答受信部１１０Ａは、マルチ映像システムの複数の表示装置のうち表示装置１００Ａ以外である表示装置２０Ａから、当該表示装置２０Ａが起動されてからの経過時間と当該表示装置２０Ａの個体情報を含む経過時間応答を受信する。識別子割り当て部１２０Ａは、経過時間応答に含まれる経過時間に応じて識別子を割り当てる。識別子送信部１３０Ａは、割り当てた識別子を各表示装置に送信する。
【００１３】
表示装置２０Ａは、カウント部２００Ａは、自機が起動されると、当該起動から前記コマンドを受信するまでの経過時間をカウントする。経過時間応答送信部２１０Ａは、経過時間と自機の個体情報とを含む経過時間応答を表示装置１０Ａに送信する。識別子受信部２２０Ａは、識別子送信部１３０Ａから送信される識別子を受信する。
【００１４】
上述した構成によれば、マルチ映像システムにおいて、表示装置２０Ａが起動されてからの経過時間に応じて識別子を割り当てることができる。これにより、識別子を割り当てしたい順に従って表示装置２０Ｂを起動することで、その順に従って識別子を割り当てることができる。
【００１５】
次に、本発明の第２実施形態について説明する。図２は、第２の実施形態におけるマルチ映像システム１Ｂの構成を示す概略構成図である。
マルチ映像システム１Ｂは、表示装置１０Ｂ、表示装置２０Ｂ、表示装置２１Ｂ、表示装置２２Ｂ、表示装置３０Ｂが、それぞれ通信ケーブルを介してスター型でハブ５０に接続される。通信ケーブルは、例えばＬＡＮ（Local Area Network）ケーブルを用いることができる。ハブ５０には、映像信号を供給する映像信号出力機器（例えばコンピュータ）がネットワークを介して接続される。ネットワークは、例えば、インターネットやＬＡＮ等を組み合わせてもよいし、無線と有線とのうち少なくともいずれか一方を用いることができる。
【００１６】
表示装置１０Ｂ、表示装置２０Ｂ、表示装置２１Ｂ、表示装置２２Ｂは、行方向に２台、列方向に２台となるように並べて配列され、いわゆる２×２のマルチディスプレイ４０を構成する。表示装置３０Ｂは、表示装置１０Ｂ、表示装置２０Ｂ、表示装置２１Ｂ、表示装置２２Ｂとはマルチディスプレイ４０を構成しないが、これら表示装置と同じハブ５０に接続される。
【００１７】
図３は、第２実施形態におけるマルチ映像システム１Ｂの機能について説明する概略機能ブロック図である。
表示装置１０Ｂは、コマンド送信部１００Ｂ、経過時間応答受信部１１０Ｂ、識別子割り当て部１２０Ｂ、識別子送信部１３０Ｂを有する。これら機能は、図１におけるコマンド送信部１００Ａ、経過時間応答受信部１１０Ａ、識別子割り当て部１２０Ａ、識別子送信部１３０Ａに対応する機能を有するため、その説明を省略し、異なる部分を説明する。
識別子割り当て部１２０Ｂは、経過時間の長さの順に従って識別子を割り当てる。経過時間の長さの順としては、経過時間の長さが長い順であってもよいし短い順であってもよいが、この実施形態においては、長い順である場合を一例として説明する。また、識別子割り当て部１２０Ｂは、経過時間応答に含まれる経過時間が所定の時間よりも短い経過時間応答の個体情報に対応する表示装置に対して識別子を割り当てる。また、表示装置１０Ｂは、ハブ５０を介してＬＡＮに接続されることで、ＩＰアドレス（ここでは、一例として169.254.22.44）が割り当てられる。この表示装置１０Ｂは、マルチ映像システム１Ｂにおける表示装置のうちマスターとして機能する。表示装置１０Ｂは、マルチディスプレイ４０全体のうち、左上に配置される場合について説明するが、他の位置に配置されてもよい。
【００１８】
表示装置２０Ｂは、カウント部２００Ｂ、経過時間応答送信部２１０Ｂ、識別子受信部２２０Ｂを有する。これら機能は、図１におけるカウント部２００Ａ、経過時間応答送信部２１０Ａ、識別子受信部２２０Ａに対応する機能を有するため、その説明を省略し、異なる部分を説明する。
表示装置２０Ｂは、ハブ５０を介してＬＡＮに接続されることで、ＩＰアドレス（ここでは、一例として169.254.173.15）が割り当てられる。表示装置２１Ｂは、ハブ５０を介してＬＡＮに接続されることで、ＩＰアドレス（ここでは、一例として169.254.56.98）が割り当てられる。表示装置２２Ｂは、ハブ５０を介してＬＡＮに接続されることで、ＩＰアドレス（ここでは、一例として169.254.144.73）が割り当てられる。これら表示装置２０Ｂ、表示装置２１Ｂ、表示装置２２Ｂは、マルチ映像システム１Ｂにおける表示装置のうちスレーブとして機能する。
【００１９】
表示装置３０Ｂは、ハブ５０を介してＬＡＮに接続されることで、ＩＰアドレス（ここでは、一例として169.254.32.45）が割り当てられる。
【００２０】
次に、上述のマルチ映像システム１Ｂの動作について図４から図６を用いて説明する。
図４は、マルチ映像システム１Ｂの動作を説明するシーケンス図である。
図５は、表示装置１０Ｂが行うマスター側の動作を説明するフローチャート図である。
図６は、表示装置２０Ｂが行うスレーブ側の動作を説明するフローチャート図である。
【００２１】
まず、マスター側となる表示装置１０Ｂの動作について、説明する。
表示装置１０Ｂは、起動すると（図４ステップＳ１０２、図５ステップＳ１５１）、タイマーＡを開始して（図５ステップＳ１５２）、一定時間経過した後、ＡＵＴＯ＿ＩＤ実行指示コマンドを不特定の表示装置に対して送信する（図４ステップＳ１０３、図５ステップＳ１５３）。前記起動は、表示装置がＯＦＦからＯＮとなる状態であればよく、例えば、自機の表示装置の電源投入によって行われる。
【００２２】
そして、表示装置１０Ｂは、表示装置２０ＢからＡＵＴＯ＿ＩＤ実行指示コマンドに対するＡｃｋ応答を受信したら（図４ステップＳ２０４、図５ステップＳ１５５）、タイマーＡを停止し（図５ステップＳ１５６）、表示装置２０Ｂから受けたＡｃｋ応答の内容から、表示装置２０Ｂがマルチ映像システム１ＢのＩＤ設定対象ＰＤであるか否かを判断し、設定対象である場合にはＩＤ設定対象ＰＤリストを作成する（図４ステップＳ１０５、図５ステップＳ１５８）。
【００２３】
この場合において、表示装置２０ＢがＩＤ設定対象ＰＤであるか否かの判断は、表示装置１０ＢのタイマーＡの値と表示装置２０ＢからのＡｃｋ応答に付与されたタイマーＢの値を比較することで行う（図５ステップＳ１５７）。タイマーＢには、表示装置２０Ｂが起動してからＡＵＴＯ＿ＩＤ実行指示コマンドを受信したときまでの時間が記されている（図６ステップ２５２、図６ステップ２５５）。
【００２４】
すなわち、表示装置1０Ｂは、タイマーＡとタイマーＢの値を比較することで、どちらの表示装置が先に電源オンの状態となったか判断でき、表示装置１０Ｂより後に表示装置２０Ｂが起動したと判断できる場合に、表示装置２０ＢをＩＤ設定対象ＰＤとして認識し、ＩＤ設定対象ＰＤリストを作成する（図５ステップ１５８）。
【００２５】
さらに、表示装置１０Ｂは、ＡＵＴＯ＿ＩＤ実行指示コマンド送信時に、タイマーＣを開始し（図５ステップＳ１５３）、一定時間が経過するまで、他の表示装置からのＡｃｋ応答を待ち続け、一定時間が経過したら、対象となる表示装置を確定してＩＤ設定対象となる各表示装置に対してＩＤ設定指示コマンドを送信する（図５ステップＳ１６０、図５ステップＳ１６１）。
【００２６】
次に、スレーブ側となる表示装置２０Ｂの動作について説明する。
表示装置２０Ｂは、起動すると（図４ステップＳ２０２、図６ステップＳ２５１）、タイマーＢを開始する（図６ステップＳ２５２）。そして、他の表示装置からＡＵＴＯ＿ＩＤ実行指示コマンドを受信（図６ステップＳ２５３）すると、タイマーＢを停止して、タイマーＢの値を付与してＡｃｋ応答する（図４ステップＳ２０４、図６ステップＳ２５５、Ｓ２５６）。
次に、他の表示装置からＩＤ設定指示コマンドを受信すると（図４ステップＳ２０５、図６ステップＳ２５７）、表示装置２０Ｂは、受信内容に従ったＩＤ設定を行う（図６ステップＳ２５９）。
【００２７】
表示装置２１Ｂ、表示装置２２Ｂについても、基本的なシーケンスは、表示装置２０Ｂと同様であるが、Ａｃｋ応答時に付与する時間、すなわち起動してからＡＵＴＯ＿ＩＤ実行指示コマンドを受信したときまでの時間が異なる。この時間の相違により各表示装置を起動してからの経過時間の順番でＩＤを割り当てることが可能となる。
【００２８】
このように、表示装置起動後、タイマーを開始して一定時間（ここでは４５秒）待ち、その間に他の表示装置からＡＵＴＯ＿ＩＤ実行指示コマンドを受信した場合には、Ａｃｋ応答をすることでスレーブ側の表示装置となり、ＡＵＴＯ＿ＩＤ実行指示コマンドを受信することなく４５秒経過した場合には、自機が他の表示装置に対してＡＵＴＯ＿ＩＤ実行指示コマンドを送信することにより、マスター側の表示装置として機能することとなる。
【００２９】
次に、設定対象ＰＤリスト作成について図７から図９を用いて説明する。
図７は、表示装置１０Ｂが作成した、各表示装置の起動経過時間を含めた、ＩＤ設定対象ＰＤリストである。
図８は、マルチ映像システム１Ｂの初期状態図である。
図９は、マルチ映像システムの各表示機の電源投入順を表す図である。
【００３０】
初期状態において表示装置１０Ｂ、表示装置２０Ｂ、表示装置２１Ｂ、表示装置２２Ｂ、表示装置３０ＢのＩＤはすべて「１」となっている（図８）。この状態から、マルチ映像システム１Ｂがマルチディスプレイ対象とする表示装置すべて、すなわち表示装置１０Ｂ、表示装置２０Ｂ、表示装置２１Ｂ、表示装置２２Ｂ、について、表示装置１０Ｂから、示装置２０Ｂ、表示装置２１Ｂ、表示装置２２Ｂの順番に電源ＯＮする（図９）。このとき各表示装置は起動と同時にタイマーを開始して起動からの経過時間を計測する。
【００３１】
表示装置１０Ｂは、受け取ったＡｃｋ応答から表示装置１０Ｂより後に起動したと判断した場合には表示装置をＩＤ設定対象ＰＤとして認識するが、設定対象外ＰＤリストを作成するに際して、複数の表示装置からＡｃｋ応答がある場合にあっては、各Ａｃｋ応答に付与された経過時間をソートして値の大きい方から順にＩＤを付与する。すなわち、先に起動した表示装置ほど若いＩＤを割り当てる（図７）。
初期状態において表示装置のＩＤはすべて１となっているため、このようにすれば、マスター側表示装置である表示装置１０Ｂは、最も若いＩＤ（この場合は１）が割り当てられ、ＩＤを設定しなおす必要がない。
【００３２】
次に、表示装置１０ＢからのＡＵＴＯ＿ＩＤ実行指示コマンドの送信、およびＡｃｋ応答について、図１０から図１２を用いて説明する。
図１０は、表示装置１０Ｂから送信されるＡＵＴＯ＿ＩＤ実行指示コマンドの経路を示す図である。
図１１は、表示装置２０Ｂ、表示装置２１Ｂ、表示装置２２ＢからのＡｃｋ応答が、表示装置１０Ｂに到達する経路を示す図である。
図１２は、表示装置１０ＢがＩＤ設定対象ＰＤリストを作成したイメージ図である。
図１３は、表示装置１０Ｂがマスター側表示装置として、スレーブ側表示装置である表示装置２０Ｂ、表示装置２１Ｂ、表示装置２２ＢへＩＤ設定指示を送信した状態を示す図である。
【００３３】
マスター側表示装置である表示装置１０ＢがＡＵＴＯ＿ＩＤ実行指示コマンドを送信する（図１０ア）と、表示装置１０Ｂに接続されたハブ５０を経由して、同じハブ５０に接続された表示装置２０Ｂ、表示装置２１Ｂ、表示装置２２Ｂ、表示装置３０Ｂに対して、ほぼ同時にＡＵＴＯ＿ＩＤ実行指示コマンドが送信される（図１０ア−ａ、図１０ア−ｂ、図１０ア−ｃ、図１０ア−ｄ）。
このとき、表示装置１０Ｂは、マルチ映像システム１Ｂを構成する表示装置を特定している必要はなく、ハブ５０に接続された表示装置すべてに対して同一情報を同時に送信するブロードキャストを行えばよい。
【００３４】
表示装置１０ＢからのＡＵＴＯ＿ＩＤ実行指示コマンドを受信した各表示装置は、各受信装置が起動してからＡＵＴＯ＿ＩＤ受信までの経過時間を付与してＡｃｋ応答する（図１１ア−ａ´、図１１ア−ｂ´、図１１ア−ｃ´、図１１ア−ｄ´）と、ＡＵＴＯ＿ＩＤ実行指示コマンド送信時と同様に、ハブ５０を経由して、表示装置１０Ｂに対して、Ａｃｋ応答が送信される（図１０ア−ａ´ｂ´ｃ´ｄ´）。
【００３５】
Ａｃｋ応答に付与する経過時間のデータ領域は、マルチシステムの構成に依存するが、４バイト程度の領域を確保できれば十分であり、さほど通信に影響を与えることもない。
【００３６】
表示装置１０Ｂは、各表示装置からのＡｃｋ応答を受信すると、Ａｃｋ応答に付与された経過時間の大きい順からソートして、すなわち先に電源が投入された順番に、ＩＤ設定対象ＰＤリストを作成する（図１２）。
表示装置１０Ｂは、所定の時間（ここでは４５秒）経過するまで、Ａｃｋ応答を受け付ており、Ａｃｋ応答を受信するたびにＩＤ設定対象ＰＤリストを更新して作成する。
もし、表示装置１０Ｂよりも先に起動した表示装置からＡｃｋ応答があった場合には（図１２表示装置３０Ｂ）、ＩＤ設定対象外ＰＤリストを作成する。
ＰＤリスト作成は、表示装置１０Ｂの識別子割り当て部１２０Ｂが行う。
表示装置１０Ｂは、自身が作成したＰＤリストに基づいて、ＩＤ設定対象ＰＤに対して、ＩＤ設定指示を送信する（図１３イウエ）と、ハブ５０を経由して、対象表示装置である表示装置２０Ｂ、表示装置２１Ｂ、表示装置２２Ｂ、表示装置３０Ｂに対して、ＩＤ設定指示が送信される（図１３イ、図１３ウ、図１３エ）。
【００３７】
上述の第２実施形態によれば、識別子割り当て部１２０Ｂは、経過時間の長さが長い表示装置から順に識別子を割り当てるようにした。ＡＵＴＯ＿ＩＤ実行指示（経過時間応答を送信させるためのコマンドの送信）は、表示装置１０Ｂからスレーブ側の各表示装置にほぼ同時に送信されることで、スレーブ側の各表示装置において、ほぼ同じタイミングで受信される。従って、スレーブ側の表示装置においては、先に電源が投入された表示装置ほど、ＡＵＴＯ＿ＩＤ実行指示を受信するまでの時間が長くなるため、経過時間応答に含まれる経過時間が長くなる。従って、表示装置１０Ｂは、経過時間が長い表示装置ほど、先に電源が投入されているとして判断することができるため、これに基づいて識別子を割り当てることで、電源が投入された順に沿って識別子を割り当てることができる。そのため、ユーザは、スター型で接続されるマルチ映像システムであっても、識別子を割り当てしたい順に表示装置を起動すれば、識別子の割り当て順を指定する指示を新たに入力することなく、任意の順で識別子を割り当てることができる。
【００３８】
なお、以上説明した実施形態において、電源を投入されたタイミングを起点とする場合について説明したが、電源投入ではなく、所定のコマンド入力がなされた場合であってもよい。所定のコマンドとしては、例えば、所定のコマンドを入力するボタン（リセットボタンなど）であってもよいし、表示装置に設けられた複数のボタンを同時に長押しする等であってもよい。この所定のコマンドは、表示装置本体のボタンを用いてもよいし、表示装置のリモコンを用いるようにしてもよい。
【００３９】
また、従来であれば、マルチ映像システムにおける各表示装置に識別子を設定する場合には、各表示装置をＬＡＮを用いて接続する場合、各表示装置においてＩＮポートとＯＵＴポートの２つのポートが必要となるが、本発明では、表示装置をハブに接続するための１つのポート（ＩＮポートのみ）を用いるだけで識別子を設定することができる。また、各表示装置をスター型で接続する場合であっても、各表示装置に割り当てられる識別子の順番はバラバラになり、ユーザの意図した順にならない。これに対し、上述の実施形態においては、識別子を設定したい順で表示装置の電源を投入すれば、ユーザの意図した順に従って識別子を割り当てすることができる。また、この場合、ユーザは、各表示装置のそれぞれに対して個別に識別子を設定する不要もない。
【００４０】
また、各表示装置をリモコンモードで使用する場合、ＩＤがユーザの意図した順に設定されていた方が、外部制御コマンドで特定のディスプレイを対象としてコマンドを送信したい場合に有効（便利）である。ここで、リモコンＩＤモードとは、リモコンに操作対象の表示装置１０の識別子を設定してコマンド等を送信するモードであり、この設定された識別子のディスプレイのみにリモコンの操作信号を受付けさせるモードである。
【００４１】
上述した実施形態における表示装置が実行する処理をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００４２】
以上、この発明の実施形態について図面を参照して詳述してきたが、具体的な構成はこの実施形態に限られるものではなく、この発明の要旨を逸脱しない範囲の設計等も含まれる。
【符号の説明】
【００４３】
１Ａ、１Ｂ  マルチ映像システム
１０Ａ、２０Ａ、１０Ｂ、２０Ｂ、２１Ｂ、２２Ｂ、３０Ｂ  表示装置
１００Ａ、１００Ｂ  コマンド送信部
１１０Ａ、１１０Ｂ  経過時間応答受信部
１２０Ａ、１２０Ｂ  識別子割り当て部
１３０Ａ、１３０Ｂ  識別子送信部
２００Ａ、２００Ｂ  カウント部
２１０Ａ、２１０Ｂ  経過時間応答送信部
２２０Ａ、２２０Ｂ  識別子受信部
４０  マルチディスプレイ
５０  ハブ
【図１】
2017161746.tif 000003
【図２】
2017161746.tif 000004
【図３】
2017161746.tif 000005
【図４】
2017161746.tif 000006
【図５】
2017161746.tif 000007
【図６】
2017161746.tif 000008
【図７】
2017161746.tif 000009
【図８】
2017161746.tif 000010
【図９】
2017161746.tif 000011
【図１０】
2017161746.tif 000012
【図１１】
2017161746.tif 000013
【図１２】
2017161746.tif 000014
【図１３】
2017161746.tif 000015